(57)【要約】      （修正有）【課題】どのような路面にも対応するとともに、どのような場合でも歩行者を支えることができる杖を提供する。【解決手段】本体１０と、底座２０とを含んでなり、本体が、桿体で底部が底座と互いに回動自在に接続し、該底部には接続部１２が設けられ、底座には、ボール２１と、板２２とが設けられ、該ボールが接続部の内側に挿設されて、接続部から抜け落ちることがなく、該ボールが接続体の内部で互いに回転し、ボールと接続部との間に緩衝手段が設けられ、これによって、ボールが接続部の内部で回転し、本体をどのような方向からも支持するとともに、ボールの動きを緩和するため、歩行者が安定して歩行することができる構造からなる。【選択図】図１
0003147384.tif 000002
【実用新案登録請求の範囲】
【請求項１】
本体と、底座とを含んでなり、
該本体が、桿体で底部が底座と互いに回動自在に接続し、該底部には接続部が設けられ、
該底座には、ボールと、板とが設けられ、該ボールが接続部の内側に挿設されて、接続部から抜け落ちることがなく、該ボールが接続体の内部で互いに回転し、ボールと接続部との間に緩衝手段が設けられ、これによって、ボールが接続部の内部で回転し、本体をどのような方向からも支持するとともに、ボールの動きを緩和し、歩行者が安定して歩行することができる構造からなることを特徴とする杖。
【請求項２】
前記底座の板が、下方に複数の支持脚を設けてなることを特徴とする請求項１に記載の杖。
【請求項３】
前記緩衝手段が、ボールと接続部との間に互いに磁性で吸着して設けられ、ボールの動きを緩和することを特徴とする請求項１に記載の杖。
【請求項４】
前記接続部が半円体よりも大きく形成され、内部に設置空間を具えてなることを特徴とする請求項１に記載の杖。
【請求項５】
前記緩衝手段が、接続部の内部表面に滑り止め面を設けてなることを特徴とする請求項１に記載の杖。
【考案の詳細な説明】
【技術分野】
【０００１】
この考案は、杖に関し、特に老人や体の不自由な人が歩行時に体を支えることができる杖に関する。
【背景技術】
【０００２】
従来の杖は、老人や体が不自由で歩行時に不便をきたす人が歩行する場合の補助的な道具として供され、歩行の不便な人が、歩行時に支柱おして使用し、安定して歩行することができるようにする。
【０００３】
しかしながら、路面は、平坦、坂道、或いは凸凹を有するなど場所によって様々である。よって、一つしか用途のない、単一のモデルの杖では様々な状況や需要に対応することができない。
【０００４】
このため、従来の杖の底部に回動自在の底座を設けた杖が作られた。
【０００５】
該杖は、底部にボールを設ける。該底座は、円形の溝が設けられ、該ボールを回動自在に接続し、底座が回動自在に角度を傾斜できるため、様々な路面の状況に対応することができる。
【０００６】
底座は路面の状況にしたがって傾斜角度を変える。しかしながら、底座が傾斜する場合、その変化が早く、変化の速度が速すぎると、杖を使用している人が歩行する場合に歩行者の体を支えることができず、歩行者が転ぶなどの欠点がある。
【考案の開示】
【考案が解決しようとする課題】
【０００７】
この考案は、どのような路面にも対応するとともに、どのような場合でも歩行者を支えることができる杖を提供することを課題とする。
【課題を解決するための手段】
【０００８】
そこで、本考案者は従来の技術に見られる欠点に鑑みて鋭意研究を重ねた結果、本体と、底座とを含んでなり、
該本体が、桿体で底部が底座と互いに回動自在に接続し、該底部には接続部が設けられ、
該底座には、ボールと、板とが設けられ、該ボールが接続部の内側に挿設されて、接続部から抜け落ちることがなく、該ボールが接続体の内部で互いに回転し、ボールと接続部との間に緩衝手段が設けられ、これによって、ボールが接続部の内部で回転し、本体をどのような方向からも支持するとともに、ボールの動きを緩和し、歩行者が安定して歩行することができる構造からなる杖の構造によって課題を解決できる点に着眼し、かかる知見に基づいて本考案を完成させた。
【０００９】
以下、この考案について具体的に説明する。
請求項１に記載の杖は、本体と、底座とを含んでなり、
該本体が、桿体で底部が底座と互いに回動自在に接続し、該底部には接続部が設けられ、
該底座には、ボールと、板とが設けられ、該ボールが接続部の内側に挿設されて、接続部から抜け落ちることがなく、該ボールが接続体の内部で互いに回転し、ボールと接続部との間に緩衝手段が設けられ、これによって、ボールが接続部の内部で回転し、本体をどのような方向からも支持するとともに、ボールの動きを緩和し、歩行者が安定して歩行することができる構造からなる。
【００１０】
請求項２に記載の杖は、請求項１における底座の板が、下方に複数の支持脚を設けてなる。
【００１１】
請求項３に記載の杖は、請求項１における緩衝手段が、ボールと接続部との間に互いに磁性で吸着して設けられ、ボールの動きを緩和する。
【００１２】
請求項４に記載の杖は、請求項１における接続部が半円体よりも大きく形成され、内部に設置空間を具えてなる。
【００１３】
請求項５に記載の杖は、請求項１における緩衝手段が、接続部の内部表面に滑り止め面を設けてなる。
【考案の効果】
【００１４】
この考案による杖は、緩衝手段で、ボールの動きが緩和されるため、歩行者が安定して歩行できて、転ばないという効果を有する。
【考案を実施するための最良の形態】
【００１５】
この考案は、どのような路面にも対応するとともに、どのような場合でも歩行者を支えることができる杖であって、本体と、底座とを含んでなり、
該本体が、桿体で底部が底座と互いに回動自在に接続し、該底部には接続部が設けられ、
該底座には、ボールと、板とが設けられ、該ボールが接続部の内側に挿設されて、接続部から抜け落ちることがなく、該ボールが接続体の内部で互いに回転し、ボールと接続部との間に緩衝手段が設けられ、これによって、ボールが接続部の内部で回転し、本体をどのような方向からも支持するとともに、ボールの動きを緩和するため、歩行者が安定して歩行することができる構造からなる杖の構造と特徴を詳述するために具体的な実施例を挙げ、図示を参照にして以下に説明する。
【実施例】
【００１６】
図１から図３は、この考案の杖を示したものである。図面によれば、該杖は、本体１０と、底座２０とを接続して形成する。
【００１７】
該本体１０は、桿体で、上部には歩行者を支持するために供する上端部１１が設けられ、底部が底座２０と回動自在に接続される。
【００１８】
該本体１０の底部は、接続部１２であって、該接続部１２は半円形よりも大きく形成され、内部に設置空間１３を具えてなる。該設置空間１３は、ボール２１を挿入するために供する。
【００１９】
該底座２０は、ボール２１と、板２２と、複数の支持脚２３とを含んでなる。
【００２０】
該ボール２１は、接続部１２の内部に挿設されるため、ボール２１が接続部１２が外れることがない。
【００２１】
ボール２１は、接続部１２の内部で互いに回転し、且つボール２１と接続部１２との間には緩衝手段が設けられる。
【００２２】
該緩衝手段は、ボール２１が磁性を具えているか、或いは磁性で吸着され、接続部１２も磁性を具えているか、或いは磁性で吸着されて、ボール２１と接続部１２との間が磁性で互いに吸着され、ボール２１と接続部１２との間の動きが緩和される。
【００２３】
板２２の下方には複数の支持脚２３が設けられる。
【００２４】
上述の構造によって、この考案の杖が形成される。
【００２５】
図３、図４に開示するように、歩行者は本体１０の上端部を手で握り、支持脚２３が地面に接触する。
【００２６】
坂道や、凸凹な地面の場合、板２２が本体１０に対して傾斜し、ボール２１が接続部１２の内部で回転する。
【００２７】
よって、杖が歩行者を支持し、本体１０がどの方向に対しても支持することができる。
【００２８】
また、ボール２１と接続部１２との間が磁性で吸着されているため、ボール２１と接続部１２との間の動作を緩和する。よって、歩行者が安定した状態で歩行することができて、転ぶようなことがない。
【００２９】
図５は、この考案の他の実施形態を示したものである。
【００３０】
図面によれば、この実施形態の接続部１２は内部に滑り止め面１４（緩衝手段）を具えてなる。
【００３１】
磁性による吸着がないと、ボール２１が接続部１２の内部で回転する場合に摩擦が発生して、ボール２１が接続部１２内部での動作が鈍くなり、前述の場合と同様の目的を達成することができる。
【００３２】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３３】
【図１】この考案の杖を示した分解図である。
【図２】この考案の杖を示した斜視図である。
【図３】この考案の杖を示した断面図である。
【図４】この考案の杖を坂道で使用した状態を示した断面図である。
【図５】この考案の杖の他の実施形態を示した断面図である。
【符号の説明】
【００３４】
１０     本体
１１     上端部
１２     接続部
１３     設置空間
１４     滑り止め面
２０     底座
２１     ボール
２２     板
２３     支持脚
【図１】
0003147384.tif 000003
【図２】
0003147384.tif 000004
【図３】
0003147384.tif 000005
【図４】
0003147384.tif 000006
【図５】
0003147384.tif 000007